(57)【要約】      （修正有）【課題】自動転送機能を有する撮像装置において、未送信画像を適切な通信相手先に転送する撮像装置を提供する。【解決手段】撮像装置１００は、被写体を撮像し、外部機器と自動接続して通信を行う通信部１６０、１５５と、撮像部により生成された画像データを外部機器へ自動転送する制御部１３５と、を備える。制御部は、外部機器が新たに自動接続されたときに、記録媒体において未送信の画像データがある場合に、新たに接続された外部機器が未送信の画像データの生成時に通信部に接続されていた機器と同一であるときは、外部機器へ未送信の画像データを自動転送し、新たに接続された外部機器が未送信の画像データの生成時に通信部に自動接続されていた機器と異なるときは、外部機器への未送信の画像データの自動転送を禁止する。【選択図】図２
2019016891.tif 000002
【特許請求の範囲】
【請求項１】
被写体を撮像し、画像データを生成する撮像部と、
前記撮像部により生成された画像データを格納する記録媒体と、
外部機器と自動接続して通信を行う通信部と、
前記撮像部により生成された画像データを前記外部機器へ自動転送する制御部と、を備え、
前記制御部は、外部機器が新たに自動接続されたときに、前記記録媒体において未送信の画像データがある場合に、
前記新たに接続された外部機器が、前記未送信の画像データの生成時に前記通信部に接続されていた機器と同一であるときは、前記新たに接続された外部機器へ未送信の画像データを自動転送し、
前記新たに接続された外部機器が、前記未送信の画像データの生成時に前記通信部に接続されていた機器と異なるときは、前記新たに接続された外部機器への未送信の画像データの自動転送を禁止する、
撮像装置。
【請求項２】
未送信の画像データを管理する管理情報をさらに備え、
前記制御部は、前記管理情報を参照することにより、前記新たに接続された外部機器へ送信すべき画像データを特定する、
請求項１に記載の撮像装置。
【請求項３】
前記制御部は、未送信の画像データのうちの所定条件を満たす画像のみを前記外部機器に自動転送する、
請求項１に記載の撮像装置。
【請求項４】
前記所定条件は、ユーザにより選択された画像であること、画像が所定のオブジェクトを含んでいること、画像が所定の撮影モードで撮影されたこと、画像撮影から所定期間が経過していないことの少なくとも１つを含む、
請求項３に記載の撮像装置。
【請求項５】
前記通信部は、第１通信部と、前記第１通信部よりも高速な通信を行う第２通信部とを含む、請求項１に記載の撮像装置。
【請求項６】
前記第１通信部はＢｌｕｅｔｏｏｔｈ（登録商標）規格に準拠した通信を行い、前記第２通信部はＷｉ−Ｆｉ（登録商標）規格に準拠した通信を行う、請求項５に記載の撮像装置。
【請求項７】
第１の機器から第２の機器へ画像データを転送する画像転送方法であって、
第１の機器と第２の機器を自動接続し、
第１の機器と第２の機器とが自動接続されているときに、前記第１の機器において生成された画像データを前記第２の機器へ自動転送し、
前記第１の機器に対して新たな第２の機器が自動接続されたときに、前記第１の機器において未送信の画像データがある場合に、
前記新たな第２の機器が、前記未送信の画像データの生成時に前記第１の機器に接続されていた機器と同一であるときは、前記新たな第２の機器へ前記未送信の画像データを自動転送し、
前記新たな第２の機器が、前記未送信の画像データの生成時に前記第１の機器に接続されていた機器と異なるときは、前記新たな第２の機器への前記未送信の画像データの自動転送を禁止する、
画像転送方法。
【請求項８】
被写体を撮像し、画像データを生成する撮像部と、
前記撮像部により生成された画像データを格納する記録媒体と、
複数の外部機器に対して通信相手として相互に認証することが可能であり、認証した１つの外部機器と自動接続して通信を行う通信部と、
前記撮像部により生成された画像データを前記外部機器へ自動転送する制御部と、を備え、  制御部は、前記撮像部により生成された画像データの送信先を画像データ毎に設定する
撮像装置。
【発明の詳細な説明】
【技術分野】
【０００１】
本開示は撮像した画像を他の機器へ転送する機能を有する撮像装置に関する。
【背景技術】
【０００２】
撮影した画像を他の電子機器に送信する撮像装置がある（例えば、特許文献１、２）。このような撮像装置は他の電子機器と通信を確立し、通信を確立した電子機器に対して撮影した画像を送信する。
【０００３】
例えば、特許文献１は、撮像手段により撮影された画像を外部装置に送信する撮影装置を開示する。この撮影装置は、撮像手段による画像の撮影と連動して出力される送信要求に呼応して、通信手段により通信が確立している外部装置への撮影画像の自動送信処理を行う自動送信処理手段を備える。特許文献１の撮影装置は、さらに、自動送信処理手段による自動送信処理が終了した後、通信手段による外部装置との通信を切断させるか否かを、送信要求とは異なる送信要求が発行されうる状態であるか否かにより判別する判別手段と、を備える。この構成により、撮影した画像を外部装置に送信する際の通信を適切に制御することを可能としている。
【先行技術文献】
【特許文献】
【０００４】
【特許文献１】特開２０１６−１７８６３８号公報
【特許文献２】特開２００８−５３９７４号公報
【発明の概要】
【発明が解決しようとする課題】
【０００５】
撮影画像を他の電子機器に送信する機能を有する撮像装置において、撮影した画像の全ての送信が完了していない状態で、他の電子機器との通信が遮断された場合（例えば、撮像装置の電源がオフされた場合）、撮像装置内に未送信画像が残る。このような場合の未送信画像の処理が問題となる。
【０００６】
本開示は、画像の自動転送機能を有する撮像装置において未送信画像を適切な通信相手先に転送できる撮像装置を提供する。
【課題を解決するための手段】
【０００７】
本開示の第一の態様において撮像装置が提供される。撮像装置は、被写体を撮像し、画像データを生成する撮像部と、撮像部により生成された画像データを格納する記録媒体と、外部機器と自動接続して通信を行う通信部と、撮像部により生成された画像データを外部機器へ自動転送する制御部と、を備える。制御部は、外部機器が新たに自動接続されたときに、記録媒体において未送信の画像データがある場合に、新たに接続された外部機器が、未送信の画像データの生成時に通信部に接続されていた機器と同一であるときは、新たに接続された外部機器へ未送信の画像データを自動転送する。また、新たに接続された外部機器が、未送信の画像データの生成時に通信部に接続されていた機器と異なるときは、制御部は、新たに接続された外部機器への未送信の画像データの自動転送を禁止する。
【０００８】
本開示の第二の態様において、第１の機器から第２の機器へ画像データを転送する画像転送方法が提供される。画像転送方法は、第１の機器と第２の機器を自動接続し、第１の機器と第２の機器とが自動接続されているときに、第１の機器において生成された画像データを前記第２の機器へ自動転送する。第１の機器に対して新たな第２の機器が自動接続されたときに、第１の機器において未送信の画像データがある場合に、新たな第２の機器が、未送信の画像データの生成時に第１の機器に接続されていた機器と同一であるときは、新たな第２の機器へ前記未送信の画像データを自動転送する。新たな第２の機器が、未送信の画像データの生成時に第１の機器に接続されていた機器と異なるときは、新たな第２の機器への未送信の画像データの自動転送を禁止する。
【発明の効果】
【０００９】
本開示によれば、画像の自動転送機能を有する撮像装置において、未送信画像を適切な通信相手先に転送できる撮像装置を提供する。
【図面の簡単な説明】
【００１０】
【図１】デジタルカメラとスマートフォンからなる撮像システムの構成図
【図２】デジタルカメラの電気的構成図
【図３】スマートフォンの電気的構成図
【図４】デジタルカメラ内の未送信画像リストの例を示す図
【図５】デジタルカメラとスマートフォン間のペアリング動作及びＷｉ-Ｆｉ接続動作に関するシーケンス図
【図６】デジタルカメラの液晶モニタにおけるペアリング時に表示されるメッセージの表示例を示す図
【図７】デジタルカメラにおける自動画像転送動作のフローチャート
【図８】デジタルカメラにおける未送信画像リスト保存動作のフローチャート
【図９】デジタルカメラの液晶モニタにおける、画像転送の中止の確認のためのメッセージの表示例を示す図
【図１０】デジタルカメラとスマートフォン間の未送信画像の自動転送動作に関するシーケンス図
【図１１】デジタルカメラにおける未送信画像の自動転送動作のフローチャート
【図１２】未送信画像リストの別の構成例を示す図
【図１３】未送信画像リストの別の構成例を示す図
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１２】
撮影した画像を外部機器に自動転送する機能を有する撮像装置において、撮影した全ての画像の外部機器への転送が未完の状態で、外部機器との通信が遮断された場合（例えば、撮像装置の電源がオフされた場合）、撮像装置内に未送信画像が残る。このような未送信画像は、ユーザの利便性の観点から、その後に撮像装置と外部機器との通信が確立されたときに外部機器へ送信されるのが好ましい。しかし、撮像装置と外部機器との通信が新たに確立されたときに無条件に外部機器に画像を送信した場合、ユーザが意図していない外部機器に対して画像を送信する場合がある。例えば、通信の遮断の直前に撮像装置に接続されていた外部機器と、通信の遮断の後に最初に撮像装置に接続されている外部機器とが異なる場合、未送信画像を撮影したときにユーザが意図していた画像の転送先とは異なる機器に対して画像を転送することになる。
【００１３】
このような問題を鑑み、以下に、未送信画像を適切な外部機器に送信可能な撮像装置の構成を説明する。
【００１４】
（実施の形態１）
〔１−１．構成〕
図１は、本開示の実施の形態１にかかる撮像システムの構成を示す図である。撮像システムは、デジタルカメラ１００と、スマートフォン２００とを含む。
【００１５】
デジタルカメラ１００は、撮影した画像を自動で外部機器（本例では、スマートフォン２００）へ転送する自動画像転送機能を有する。自動画像転送機能はユーザによって有効または無効に設定可能である。自動画像転送機能が有効に設定されている場合、デジタルカメラ１００は、画像撮影毎に、撮影した画像の画像データをスマートフォン２００に自動転送する。
【００１６】
〔１−１−１．デジタルカメラの構成〕
図２は、デジタルカメラ１００の電気的構成図である。デジタルカメラ１００は、光学系１１０を介して形成された被写体像をＣＭＯＳイメージセンサ１１５で撮像する。ＣＭＯＳイメージセンサ１１５は撮像した被写体像に基づく撮像データ（ＲＡＷデータ）を生成する。画像処理部１２０は、撮像により生成された撮像データに対して各種処理を施して画像データを生成する。コントローラ１３５は、画像処理部１２０にて生成された画像データをカードスロット１４０に装着されたメモリカード１４２に記録する。また、コントローラ１３５は、メモリカード１４２に記録された画像データを、使用者による操作部１５０の操作にしたがい液晶モニタ１３０上に表示させること（再生）ができる。
【００１７】
光学系１１０は、フォーカスレンズ、ズームレンズ、光学式手ぶれ補正レンズ（ＯＩＳ）、絞り、シャッタ、等を含む。光学系１１０に含まれる各種レンズは、何枚から構成されるものであっても、何群から構成されるものであってもよい。
【００１８】
ＣＭＯＳイメージセンサ１１５は、光学系１１０を介して形成された被写体像を撮像して撮像データを生成する。ＣＭＯＳイメージセンサ１１５は、所定のフレームレート（例えば、３０フレーム／秒）で新しいフレームの画像データを生成する。ＣＭＯＳイメージセンサ１１５における、撮像データの生成タイミングおよび電子シャッタ動作は、コントローラ１３５によって制御される。なお、撮像素子はＣＭＯＳイメージセンサに限定されず、ＣＣＤイメージセンサやＮＭＯＳイメージセンサなど、他の種類のイメージセンサを用いてもよい。
【００１９】
画像処理部１２０は、ＣＭＯＳイメージセンサ１１５から出力された撮像データに対して各種の処理を施して画像データを生成する。また、画像処理部１２０は、メモリカード１４２から読み出した画像データに各種の処理を施して、液晶モニタ１３０に表示するための画像を生成する。各種処理としては、ホワイトバランス補正、ガンマ補正、ＹＣ変換処理、電子ズーム処理、圧縮処理、伸張処理等が挙げられるが、これらに限定されない。画像処理部１２０は、ハードワイヤードな電子回路で構成してもよいし、プログラムを用いたマイクロコンピュータなどで構成してもよい。
【００２０】
液晶モニタ１３０は、デジタルカメラ１００の背面に備わる。液晶モニタ１３０は、画像処理部１２０にて処理された画像データに基づく画像を表示する。なお、液晶モニタに代えて、有機ＥＬモニタなど、他のモニタを用いてもよい。
【００２１】
コントローラ１３５はＣＰＵを含み、デジタルカメラ１００全体の動作を統括制御する。また、コントローラ１３５は、画像処理部１２０などと共に1つの半導体チップで構成してもよい。図示していないが、コントローラ１３５はＲＯＭを内蔵する。ＲＯＭには、例えば、他の通信機器とのＷｉ-Ｆｉ（登録商標）通信を確立するために必要なＳＳＩＤ（Ｓｅｒｖｉｃ Ｓｅｔ Ｉｄｅｎｔｉｆｉｅｒ）、ＷＥＰキー（Ｗｉｒｅｄ Ｅｑｕｉｖａｌｅｎｔ Ｐｒｉｖａｃｙ Ｋｅｙ）等が格納されている。コントローラ１３５は、必要に応じて、ＲＯＭからＳＳＩＤ、ＷＥＰキーを読み出すことができる。また、ＲＯＭには、ＣＰＵにより実行される、オートフォーカス制御（ＡＦ制御）や通信制御に関するプログラムの他、デジタルカメラ１００全体の動作を統括制御するためのプログラムが記憶されている。例えば、ＲＯＭにおいて、デジタルカメラ１００で撮影した画像を外部機器（例えば、スマートフォン２００）へ転送する画像転送アプリケーションが格納されている。また、コントローラ１３５は、ＣＰＵの作業領域として機能するＲＡＭを内蔵する。
【００２２】
バッファメモリ１２５は、画像処理部１２０やコントローラ１３５のワークメモリとして機能する記録媒体である。バッファメモリ１２５は、ＤＲＡＭ（Ｄｙｎａｍｉｃ Ｒａｎｄｏｍ Ａｃｃｅｓｓ Ｍｅｍｏｒｙ）などにより実現される。
【００２３】
カードスロット１４０は、着脱可能なメモリカード１４２が挿入される手段である。カードスロット１４０は、メモリカード１４２を電気的及び機械的に接続可能である。メモリカード１４２は、内部にフラッシュメモリ等の記録素子を備えた外部メモリである。メモリカード１４２は、画像処理部１２０で生成される画像データなどのデータを格納できる。
【００２４】
フラッシュメモリ１４５は不揮発性の記録媒体である。フラッシュメモリ１４５は、未送信画像を管理する未送信画像リスト（詳細は後述）を格納する。
【００２５】
操作部１５０は、デジタルカメラ１００の外装に設けられた操作釦や操作レバー等のハードキーの総称であり、使用者による操作を受け付ける。操作部１５０は、例えば、レリーズ釦、モードダイヤル、タッチパネルを含む。操作部１５０はユーザによる操作を受け付けると、ユーザ操作に対応した操作信号をコントローラ１３５に送信する。
【００２６】
Ｗｉ-Ｆｉモジュール１５５は、通信規格ＩＥＥＥ８０２．１１またはＷｉ−Ｆｉ規格に準拠した通信を行う通信モジュール（回路）である。デジタルカメラ１００は、Ｗｉ-Ｆｉモジュール１５５を介して、Ｗｉ-Ｆｉモジュールを搭載した他の機器と通信することができる。デジタルカメラ１００は、Ｗｉ-Ｆｉモジュール１５５を介して、他の機器と直接通信を行ってもよいし、アクセスポイント経由で通信を行ってもよい。なお、Ｗｉ-Ｆｉモジュールに代えて、他の通信規格に準拠した通信を行う通信モジュールを使用してもよい。すなわち、通信モジュールとして、比較的通信ビットレートが高く、通信エリアが数メートル以上である通信が可能な通信モジュールを使用できる。
【００２７】
Ｂｌｕｅｔｏｏｔｈモジュール１６０は、通信規格８０２．１５．１すなわちＢｌｕｅｔｏｏｔｈ（登録商標）規格に準拠した通信を行うためのモジュール（回路）である。デジタルカメラ１００は、Ｂｌｕｅｔｏｏｔｈモジュール１６０を介して他の機器とＢｌｕｅｔｏｏｔｈ規格に準拠した通信を行うことができる。Ｂｌｕｅｔｏｏｔｈモジュールに代えて、ＮＦＣリーダライタを備えてもよく、ＮＦＣ規格にしたがい他の機器と通信しても良い。または、Ｂｌｕｅｔｏｏｔｈモジュールに代えて、他の近接場型の無線通信を行う通信手段を用いてもよい。
【００２８】
〔１−１−２．スマートフォンの構成〕
図３は、スマートフォン２００の電気的構成図である。スマートフォン２００は、画像処理部２０５にて生成された画像データが示す画像を液晶モニタ２１５に表示することができる。液晶モニタ２１５の表面にはタッチパネル２１０が配置されており、ユーザによるタッチ操作を受け付けることができる。また、スマートフォン２００は操作部２３０を有し、操作部２３０上でタッチパネル２１０による操作以外の操作を行うことができる。コントローラ２２５は、Ｗｉ-Ｆｉモジュール２３５、Ｂｌｕｅｔｏｏｔｈモジュール２４０を介して他の機器と通信することができる。
【００２９】
画像処理部２０５は、フラッシュメモリ２４５から読み出した画像データに各種の処理を施して、液晶モニタ２１５に表示するための画像を生成する。各種処理としては、伸張処理等が挙げられるが、これらに限定されない。画像処理部２０５は、ハードワイヤードな電子回路で構成してもよいし、プログラムを用いたマイクロコンピュータなどで構成してもよい。
【００３０】
タッチパネル２１０は、使用者の指等の接触を検出して操作情報をコントローラ２２５に出力する入力デバイスである。タッチパネル２１０は、液晶モニタ２１５の表面に配置されている。タッチパネル２１０は、抵抗膜方式でも、静電容量方式でも、他の方式であっても構わない。
【００３１】
液晶モニタ２１５は、コントローラ２２５から指示された画面を表示する表示デバイスである。液晶モニタに換えて、有機ＥＬモニタを使用してもよい。
【００３２】
バッファメモリ２２０は、コントローラ２２５が各種処理動作を実行するために必要な情報を一時的に格納するメモリである。
【００３３】
コントローラ２２５は、スマートフォン２００を構成する各部の動作を制御する。コントローラ２２５は、画像処理部２０５、タッチパネル２１０、液晶モニタ２１５、バッファメモリ２２０、操作部２３０、Ｗｉ-Ｆｉモジュール２３５及びＢｌｕｅｔｏｏｔｈモジュール２４０に電気的に接続されている。
【００３４】
Ｗｉ-Ｆｉモジュール２３５は、通信規格ＩＥＥＥ８０２．１１に準拠した通信を行う通信モジュールである。スマートフォン２００は、Ｗｉ-Ｆｉモジュール２３５を介して、Ｗｉ-Ｆｉモジュールを搭載した他の機器と通信することができる。スマートフォン２００は、Ｗｉ-Ｆｉモジュール２３５を介して、他の機器と直接通信を行ってもよいし、アクセスポイント経由で通信を行ってもよい。
【００３５】
Ｂｌｕｅｔｏｏｔｈモジュール２４０は、通信規格８０２．１５．１すなわちＢｌｕｅｔｏｏｔｈ規格に準拠した通信を行うためのモジュール（回路）である。スマートフォン２００は、Ｂｌｕｅｔｏｏｔｈモジュール２４０を介して他の機器とＢｌｕｅｔｏｏｔｈ規格に準拠した通信を行うことができる。Ｂｌｕｅｔｏｏｔｈモジュールに代えて、ＮＦＣリーダライタを備えてもよく、ＮＦＣ規格にしたがい他の機器と通信しても良い。または、Ｂｌｕｅｔｏｏｔｈモジュールに代えて、他の近接場型の無線通信を行う通信手段を用いてもよい。
【００３６】
フラッシュメモリ２４５は、スマートフォン２００で撮影した画像データ及びデジタルカメラ１００から転送された画像データ等を格納する。
【００３７】
なお、スマートフォン２００はさらに、電話機能、インターネット通信機能、及びカメラ機能等を備えていてもよい。
【００３８】
〔１−１−３．未送信画像リスト〕
図４は、デジタルカメラ１００のフラッシュメモリ１４５に格納される未送信画像リストの例を示す図である。未送信画像リスト１９０は、自動画像転送モードに設定されたデジタルカメラ１００において、スマートフォン２００に未だ送信されていない画像を管理する情報（テーブル）である。自動画像転送機能が有効に設定されたデジタルカメラ１００において、例えば電源オフにより、デジタルカメラ１００で撮影された画像がスマートフォン２００へ転送が完了されない状態で、デジタルカメラ１００とスマートフォン２００の通信が切断される場合がある。そのような場合に、未送信画像リスト１９０において、スマートフォン２００へ未だ転送されていない画像が管理される。未送信画像リスト１９０は未送信画像に関する種々の情報を管理する。
【００３９】
具体的には、図４に示すように、未送信画像リスト１９０は、各未送信画像に対して「ファイルＩＤ」と、「撮影時刻」と、「送信相手」と、を管理する。
【００４０】
「ファイルＩＤ」は、未送信画像を特定するための情報であり、ここでは、未送信画像のファイル名を用いる。「撮影時刻」は、未送信画像が撮影された日時を示す情報である。
【００４１】
「送信相手」は、未送信画像の送信先の機器を示す情報（デバイス名）である。具体的には、「送信相手」には、画像の転送先の機器の情報として、デジタルカメラ１００との間でＢｌｕｅｔｏｏｔｈ通信が確立されている機器（例えば、スマートフォン２００）のデバイス名が登録される。
【００４２】
〔１−２．動作〕
以下、デジタルカメラ１００とスマートフォン２００の動作を説明する。
【００４３】
デジタルカメラ１００とスマートフォン２００がＢｌｕｅｔｏｏｔｈ通信可能な範囲内に存在する場合、互いに自動接続し、Ｂｌｕｅｔｏｏｔｈ通信が確立される。その後、デジタルカメラ１００とスマートフォン２００間でＷｉ-Ｆｉ通信が確立される。画像転送機能が有効に設定されている場合、デジタルカメラ１００は、画像の撮影毎に、撮影した画像の画像データをＷｉ-Ｆｉ通信を介してスマートフォン２００へ送信する。スマートフォン２００はＷｉ-Ｆｉ通信を介してデジタルカメラから撮影画像の画像データを受信し、フラッシュメモリ２４５へ記録する。
【００４４】
〔１−２−１．ペアリング〕
デジタルカメラ１００とスマートフォン２００はＢｌｕｅｔｏｏｔｈ通信を行うため、最初に、Ｂｌｕｅｔｏｏｔｈ規格にしたがったペアリングがなされる必要がある。ここで、ペアリングとは、無関係な機器と通信しないように、互いの機器を通信相手として認証する処理のことである。ペアリングが完了すると、ペアリングした双方の機器において互いの機器の情報が登録される。デジタルカメラ１００は、Ｂｌｕｅｔｏｏｔｈ通信が可能な範囲内でペアリング済みの外部機器を検出したときは、その外部機器（複数の機器があるときはいずれか１つの機器）と自動で接続されるようになっている。
【００４５】
図５を用いて、デジタルカメラ１００とスマートフォン２００間のペアリング動作を説明する。図５は、デジタルカメラ１００とスマートフォン２００間のペアリング動作及びそれに続くＷｉ-Ｆｉ接続動作に関するシーケンス図である。
【００４６】
スマートフォン２００との間で未だペアリングがなされていないデジタルカメラ１００においてユーザにより操作部１５０を介してペアリング開始の指示がなされると、デジタルカメラ１００は、Ｂｌｕｅｔｏｏｔｈモジュール１６０を介して、ペアリングのためのＡｄｖｅｒｔｉｓｅパケットを送信（ブロードキャスト）する（Ｓ１）。このとき、デジタルカメラ１００の液晶モニタ１３０上に、図６に示すような画面が表示される。図６の画面は、デジタルカメラ１００のデバイス名（“ＡＢＣ１１１Ｄ”）を表示する。この画面により、ユーザは、デジタルカメラ１００とペアリングする機器において、接続先として「ＡＢＣ１１１Ｄ」のデバイスを選択すればよいことを認識できる。
【００４７】
スマートフォン２００はＡｄｖｅｒｔｉｓｅパケットを受信することで、周囲にＢｌｕｅｔｏｏｔｈ接続可能な機器があることを認識できる。スマートフォン２００は、Ｂｌｕｅｔｏｏｔｈ接続可能な機器を液晶モニタ２１５上にリスト表示する。ユーザによりリスト中の１つの機器（“ＡＢＣ１１１Ｄ”）が選択されると、スマートフォン２００は、Ｂｌｕｅｔｏｏｔｈモジュール２４０を介してデジタルカメラ１００に対して接続要求を送信する（Ｓ２）。さらに、スマートフォン２００は、デジタルカメラ１００をペアリング相手として登録し、Ｂｌｕｅｔｏｏｔｈモジュール２４０を介して、デジタルカメラ１００に対して登録要求を送信する（Ｓ３）。この登録要求に応答して、デジタルカメラ１００はスマートフォン２００をペアリング相手として登録する。これによりペアリングが完了し、Ｂｌｕｅｔｏｏｔｈ通信が確立される（Ｓ４）。なお、本実施の形態のデジタルカメラ１００は、同時に複数の外部機器との間でペアリングが可能である。しかし、デジタルカメラ１００は同時には１つの外部機器に対してのみ接続される。
【００４８】
Ｂｌｕｅｔｏｏｔｈ通信が確立される（Ｓ４）と、デジタルカメラ１００とスマートフォン２００間でＷｉ−Ｆｉ通信の確立がなされる。具体的には、スマートフォン２００はデジタルカメラ１００に対して、Ｗｉ−Ｆｉ接続用のＳＳＩＤ（Service Set IDentifier）を要求する（Ｓ５）。この要求に応答して、デジタルカメラ１００は自己のＳＳＩＤをスマートフォン２００に送信する（Ｓ６）。
【００４９】
さらに、スマートフォン２００は、デジタルカメラ１００に対して、Ｗｉ−Ｆｉ接続用のパスワードを要求する（Ｓ７）。この要求に応答して、デジタルカメラ１００は、パスワードをスマートフォン２００に送信する（Ｓ８）。スマートフォン２００は、デジタルカメラ１００から受信したＳＳＩＤとパスワードをフラッシュメモリ２４５に記憶する。
【００５０】
上記のデジタルカメラ１００とスマートフォン２００の間のＷｉ−Ｆｉ接続のためのＳＳＩＤ及びパスワードの要求、応答（Ｓ５〜Ｓ８）はＢｌｕｅｔｏｏｔｈ通信を介して行われる。
【００５１】
その後、デジタルカメラ１００において画像転送アプリケーションが起動し、また、Ｗｉ−Ｆｉ接続が完了する（Ｓ９）。なお、スマートフォン２００は、デジタルカメラ１００から取得したＳＳＩＤとパスワードを用いてデジタルカメラとのＷｉ−Ｆｉ接続を確立する。
【００５２】
以上のように、ペアリング動作に続いてＷｉ−Ｆｉ接続動作が実施される。なお、デジタルカメラ１００とスマートフォン２００間で一旦ペアリングがなされた後は、デジタルカメラ１００とスマートフォン２００間でペアリングを行う必要はない。
【００５３】
〔１−２−２．自動画像転送〕
デジタルカメラ１００は電源がオンされたときに、近くにスマートフォン２００（外部機器）があると、その外部機器とＢｌｕｅｔｏｏｔｈ及びＷｉ−Ｆｉ通信による接続を行う。その際、近くにあるスマートフォン２００が未だペアリングされていなければ、デジタルカメラ１００はそのスマートフォン２００に対して、図５に示す手順にしたがいペアリングした後、Ｂｌｕｅｔｏｏｔｈ接続及びＷｉ−Ｆｉ接続を確立する。近くにあるスマートフォン２００が既にペアリング済みであれば、デジタルカメラ１００はそのスマートフォン２００に対してペアリングの情報を利用してＢｌｕｅｔｏｏｔｈ接続を確立し、続いてＷｉ−Ｆｉ接続を確立する。このようにしてスマートフォン２００と接続されたデジタルカメラ１００において、自動画像転送機能が有効に設定されている場合、デジタルカメラ１００は、画像撮影毎に、撮影した画像の画像データをスマートフォン２００に自動送信する。図７は、デジタルカメラ１００における自動画像転送動作のフローチャートである。図７を用いて、デジタルカメラ１００における自動画像転送動作について説明する。なお、以下の説明では、デジタルカメラ１００はスマートフォン２００との間でＢｌｕｅｔｏｏｔｈ接続及びＷｉ−Ｆｉ接続が確立され、かつデジタルカメラ１００において自動画像転送機能が「有効」に設定されているとする。デジタルカメラ１００は、スマートフォン２００との間のＢｌｕｅｔｏｏｔｈ接続を確立したときに、自装置が接続されているスマートフォン２００の情報（デバイスＩＤ）を取得する。
【００５４】
自動画像転送機能が有効に設定されているデジタルカメラ１００においてユーザによりレリーズ釦が操作されると（Ｓ２０でＹＥＳ）、デジタルカメラ１００は撮影動作を開始する（Ｓ２１）。これにより、ＣＭＯＳイメージセンサ１１５により、光学系１１０を介して結像された被写体が撮像されて画像データが生成される。
【００５５】
コントローラ１３５は、ＣＭＯＳイメージセンサ１１５により撮像された画像データに関するエントリを未送信画像リスト１９０へ追加する（Ｓ２２）。具体的には、コントローラ１３５は、撮像した画像に関するファイルＩＤ（ファイル名）、撮影時刻、送信相手を未送信画像リスト１９０へ登録する。“送信相手”フィールドには、デジタルカメラ１００に現在Ｂｌｕｅｔｏｏｔｈ接続されている外部機器（本例では、スマートフォン）を特定する情報が記録される。このとき、未送信画像リスト１９０は作業領域としてのＲＡＭに格納されている。
【００５６】
その後、コントローラ１３５は、未送信画像リスト１９０に登録されている画像の画像データをスマートフォン２００へ送信する（Ｓ２３）。このとき、デジタルカメラ１００は、スマートフォン２００との間で、Ｂｌｕｅｔｏｏｔｈ接続を介してコマンドや応答のやりとりを行う。一方、画像データについては、Ｂｌｕｅｔｏｏｔｈ接続よりもより高速にデータ転送が行えるＷｉ−Ｆｉ接続を用いて送信する。
【００５７】
スマートフォン２００への画像の送信が完了すると、コントローラ１３５は、未送信画像リスト１９０から、送信された画像に関するエントリを削除する（Ｓ２４）。このように未送信画像リスト１９０が更新されることで、未送信画像リスト１９０には常時、スマートフォン２００へ未だ送信されていない画像のみが管理されることになる。
【００５８】
〔１−２−３．未送信画像リスト保存〕
デジタルカメラ１００は、ユーザにより電源オフの操作がなされたときに、デジタルカメラ１００において未送信画像が存在する場合、未送信画像リスト１９０を不揮発性のフラッシュメモリ１４５に保存する。図８は、デジタルカメラ１００の電源オフ時の未送信画像リスト１９０の保存動作を示すフローチャートである。
【００５９】
デジタルカメラ１００のコントローラ１３５は、ユーザによる操作部１５０を介した電源オフの操作を受け付けると（Ｓ３０）、未送信画像リスト１９０を参照し、未送信画像があるか否かを判断する（Ｓ３１）。未送信画像がない場合（Ｓ３１でＮＯ）、コントローラ１３５は、デジタルカメラ１００の電源をオフに制御する（Ｓ３３）。すなわち、コントローラ１３５は、デジタルカメラ１００内の各部への電源供給を停止する。一方、未送信画像がある場合（Ｓ３１でＹＥＳ）、コントローラ１３５は、未送信画像リスト１９０をフラッシュメモリ１４５に保存する（Ｓ３２）。その後、コントローラ１３５はデジタルカメラ１００の電源をオフに制御する（Ｓ３３）。
【００６０】
このようにデジタルカメラ１００の電源オフ時に未送信画像リスト１９０を保存することで、その後にデジタルカメラ１００が電源オン（起動）されたときに、未送信画像リスト１９０を参照して、未送信の画像を特定することができる。
【００６１】
なお、未送信画像がある状態でデジタルカメラ１００の電源オフ操作がなされたときは、ユーザに対して図９に示すような確認メッセージを液晶モニタ１３０に表示させてもよい。このメッセージに対してユーザにより「ＹＥＳ」が選択されたときは電源をオフし、「ＮＯ」が選択されたときは、電源オフを中止するようにしてもよい。このようなメッセージ表示により、ユーザはデジタルカメラ１００の電源オフにより未送信画像が残ることを認識できるため、電源オフを本当に行ってよいか否かを判断できる。
【００６２】
〔１−２−４．未送信画像の転送〕
デジタルカメラ１００は電源がオンされたときに、ペアリングされたスマートフォン（外部機器）と自動接続する。その際、自動接続したスマートフォンに対して前回の自動画像転送時における未送信画像がある場合、そのスマートフォンに対して未送信画像を自動転送する。
【００６３】
以下、図１０を参照して、デジタルカメラ１００の電源オン時の未送信画像の自動転送動作を説明する。図１０は、デジタルカメラ１００とスマートフォン２００間の未送信画像の自動転送動作を説明したシーケンス図である。
【００６４】
デジタルカメラ１００の電源がオンされると、デジタルカメラ１００は、Ｂｌｕｅｔｏｏｔｈ規格にしたがいＡｄｖｅｒｔｉｓｅパケットをブロードキャストする（Ｓ４１）。デジタルカメラ１００とスマートフォン２００は既にペアリング済みであるため、スマートフォン２００は、デジタルカメラ１００からのＡｄｖｅｒｔｉｓｅパケットを受信すると、Ｂｌｕｅｔｏｏｔｈ規格にしたがいデジタルカメラ１００に対して自動的に接続要求を行い、Ｗｉ−Ｆｉ接続のためのデバイス名などの通知を行う（Ｓ４２、Ｓ４３）。これにより、デジタルカメラ１００とスマートフォン２００間でＢｌｕｅｔｏｏｔｈ通信が確立される（Ｓ４４）。これによりデジタルカメラ１００は画像転送先としてスマートフォン２００を認識する。
【００６５】
その後、デジタルカメラ１００において画像転送アプリケーションが起動する。続いて、デジタルカメラ１００とスマートフォン２００間でＷｉ−Ｆｉ接続が試みられ（Ｓ４５）、Ｗｉ−Ｆｉ通信が確立される（Ｓ４６）。スマートフォン２００はデジタルカメラ１００との最初の接続時にデジタルカメラ１００のＳＳＩＤ及びパスワードを記憶しており、それらを用いてＷｉ−Ｆｉ通信の確立を行う。
【００６６】
以上のようにして、デジタルカメラ１００の電源オン時に、デジタルカメラ１００とスマートフォン２００とは、Ｂｌｕｅｔｏｏｔｈ通信及びＷｉ−Ｆｉ通信において自動接続される。
【００６７】
現在接続中のスマートフォン２００が、未送信画像の撮影時に接続されていた機器と同じであれば、デジタルカメラ１００は、未送信画像を現在接続中のスマートフォン２００に送信する（Ｓ４７）。一方、現在接続中のスマートフォン２００が、未送信画像の撮影時に接続されていた機器と異なる場合は、未送信画像の現在接続中のスマートフォン２００への転送を禁止する（これらの処理の詳細は後述する）。なお、前回の起動中に未送信画像がない場合は、Wi-Fiの通信確立までは図１０と同様の動作を行い、接続された機器のチェックをすることなく、画像転送を行う。
【００６８】
このように、本実施の形態のデジタルカメラ１００は、電源オン時に未送信画像がある場合に、その未送信画像の撮影時に接続されていたスマートフォン（外部機器）と同一の機器が現在接続されている場合にのみ未送信画像を自動転送する。これにより、画像撮影時に意図していなかった機器へ、撮影した画像が自動で転送されてしまうことを防止できる。
【００６９】
以上のようなデジタルカメラ１００における未送信画像の転送動作について、図１１を参照してより具体的に説明する。図１１は、デジタルカメラ１００の電源オン時（起動時）に実行される、デジタルカメラ１００における未送信画像転送動作のフローチャートである。
【００７０】
デジタルカメラ１００の電源がオンされ、スマートフォン２００との自動接続が完了すると（Ｓ５０でＹＥＳ）、コントローラ１３５は、未送信画像リスト１９０がフラッシュメモリ１４５に保存されているか否かを判断する（Ｓ５１）。未送信画像リスト１９０がフラッシュメモリ１４５に保存されていない場合（Ｓ５１でＮＯ）、未送信画像が存在しないことから、本処理は終了する。
【００７１】
未送信画像リスト１９０がフラッシュメモリ１４５に保存されている場合、未送信画像が存在すると判断される。よって、未送信画像リスト１９０がフラッシュメモリ１４５に保存されている場合（Ｓ５１でＹＥＳ）、コントローラ１３５は、現在Ｂｌｕｅｔｏｏｔｈ接続されているスマートフォン２００（外部機器）が、未送信画像の撮影時に接続されていた機器と同一か否かを判断する（Ｓ５２）。未送信画像の撮影時に接続されていた外部機器は、未送信画像リスト１９０における「送信相手」を参照することで判断できる。
【００７２】
現在Ｂｌｕｅｔｏｏｔｈ接続されているスマートフォン２００が、未送信画像の撮影時に接続されていた外部機器と同一である場合（Ｓ５２でＹＥＳ）、コントローラ１３５は、未送信画像リスト１９０に登録されている未送信の画像を現在接続中のスマートフォン２００に転送する（Ｓ５３）。このとき、未送信画像リスト１９０に登録されている画像が順に接続中のスマートフォンに転送される。転送が完了した画像について、未送信画像リスト１９０からその画像に関するエントリが削除される（Ｓ５３）。
【００７３】
一方、現在Ｂｌｕｅｔｏｏｔｈ接続されているスマートフォン２００が、未送信画像の撮影時に接続されていた機器と異なる場合（Ｓ５２でＮＯ）、コントローラ１３５は、未送信画像リスト１９０に登録されている未送信の画像の転送は行わない。
【００７４】
例えば、デジタルカメラ１００が電源オン時において図４に示すような未送信画像リスト１９０を保持している場合、デジタルカメラ１００に対して“smartphone A”のデバイス名を持つスマートフォンが接続された場合は、未送信画像リスト１９０に登録されている画像を当該スマートフォンに自動転送する。しかし、デジタルカメラ１００に対して“smartphone B”のデバイス名を持つスマートフォンが自動接続された場合は、未送信画像リスト１９０に登録されている画像は自動転送されない。
【００７５】
その後、コントローラ１３５は、フラッシュメモリ１４５から未送信画像リスト１９０を削除し（Ｓ５４）、本処理を終了する。
【００７６】
〔１−３．効果、等〕
以上のように本実施の形態のデジタルカメラ１００（撮像装置の一例）は、被写体を撮像し、画像データを生成するＣＭＯＳイメージセンサ１１５（撮像部の一例）と、ＣＭＯＳイメージセンサ１１５により生成された画像データを格納するメモリカード１４２（記録媒体の一例）と、スマートフォン２００（外部機器の一例）と自動接続して通信を行うＢｌｕｅｔｏｏｔｈモジュール１６０及びＷｉ−Ｆｉモジュール１５５（通信部の一例）と、ＣＭＯＳイメージセンサ１１５により生成された画像データをスマートフォン２００へ自動転送するコントローラ１３５（制御部の一例）と、を備える。
【００７７】
コントローラ１３５は、スマートフォン２００が新たに自動接続されたときに、メモリカード１４２において未送信の画像データがある場合に、新たに接続されたスマートフォン２００が、未送信の画像データの生成時にＢｌｕｅｔｏｏｔｈモジュール１６０に接続されていた機器と同一であるときは、新たに接続されたスマートフォン２００へ未送信の画像データを自動転送する。一方、新たに接続されたスマートフォン２００が、未送信の画像データの生成時にＢｌｕｅｔｏｏｔｈモジュール１６０に接続されていた機器と異なるときは、コントローラ１３５は、新たに接続されたスマートフォン２００への未送信の画像データの自動転送を禁止する。
【００７８】
このような制御により、未送信画像が撮影されたときにデジタルカメラ１００に接続されていたスマートフォン（外部機器）と異なる機器へ、その未送信画像が送信されることを防止できる。
【００７９】
また、デジタルカメラ１００は、管理情報の一例として、未送信の画像データを管理する未送信画像リスト１９０をさらに備えてもよい。コントローラ１３５は、未送信画像リスト１９０を参照することにより、送信すべき画像データを特定する。このように、未送信画像リスト１９０を参照することで、スマートフォン２００に送信すべき画像データを特定することができる。
【００８０】
コントローラ１３５は、未送信の画像データのうちの所定条件を満たす画像のみを外部機器に自動転送してもよい。
【００８１】
ここで、所定の条件は、例えば、ユーザにより選択された画像であること、画像が所定のオブジェクトを含んでいること、画像が所定の撮影モードで撮影されたこと、画像撮影から所定期間が経過していないことの少なくとも１つを含んでもよい。
【００８２】
上記の実施の形態はまた、デジタルカメラ１００（第１の機器の一例）からスマートフォン２００（第２の機器の一例）へ画像データを転送する画像転送方法も開示する。画像転送方法によれば、デジタルカメラ１００とスマートフォン２００を自動接続する。デジタルカメラ１００とスマートフォン２００とが接続されているときに、デジタルカメラ１００において生成された画像データをスマートフォン２００へ自動転送する。その際、デジタルカメラ１００に対してスマートフォン２００が新たに自動接続されたときに、デジタルカメラ１００において未送信の画像データがある場合に、新たに接続されたスマートフォン２００が、未送信の画像データの生成時にデジタルカメラ１００に接続されていた機器と同一であるときは、新たに接続されたスマートフォン２００へ未送信の画像データを自動転送する。一方、新たに接続されたスマートフォン２００が、未送信の画像データの生成時にデジタルカメラ１００に接続されていた機器と異なるときは、新たに接続されたスマートフォン２００への未送信の画像データの自動転送を禁止する。
【００８３】
上記の実施の形態はまた以下の構成を有するデジタルカメラも開示する。デジタルカメラは、被写体を撮像し、画像データを生成するＣＭＯＳイメージセンサ１１５と、ＣＭＯＳイメージセンサ１１５により生成された画像データを格納するメモリカード１４２と、複数の外部機器との間でペアリング（通信相手として相互に認証する処理）が可能であり、認証した１つの外部機器と自動接続して通信を行うＢｌｕｅｔｏｏｔｈモジュール１６０と、ＣＭＯＳイメージセンサ１１５により生成された画像データを外部機器へ自動転送するＷｉ−Ｆｉモジュール１５５と、外部機器への画像データの自動転送を制御するコントローラ１３５と、を備える。コントローラ１３５は、ＣＭＯＳイメージセンサ１１５により生成された画像データの送信先を画像データ毎に設定する。
【００８４】
この構成により、デジタルカメラにおいて、未送信画像が撮影されたときに接続されていた外部機器ではない機器に、未送信画像が送信されることを防止できる。
【００８５】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【００８６】
上記の実施の形態では、デジタルカメラ１００に外部機器（スマートフォン２００）が新たに接続されたときに、未送信画像を自動転送した。しかし、未送信画像の転送タイミングはこれに限られない。デジタルカメラ１００に外部機器が新たに接続された後のユーザが望む任意のタイミングで、未送信画像を転送するようにしてもよい。すなわち、ユーザによる未送信画像の転送指示があったときに外部機器に未送信画像を転送するようにしてもよい。
【００８７】
上記の実施の形態において、未送信画像リスト１９０の一例を説明したが、未送信画像リスト１９０の構成はこれに限定されるものではない。例えば、未送信画像リスト１９０において、転送済みの画像に対するエントリを削除するようにしたが（図１１のステップＳ５３参照）、転送済みの画像に対するエントリを削除しなくてもよい。このとき、さらに、未送信画像リスト１９０（全体）を削除（図１１のステップＳ５４）しないようにする。その場合、未送信画像リストにおいてフラグを設け、このフラグにより転送の完了／未完を管理してもよい。未送信画像リスト１９０及びそのエントリを削除しない場合、次回以降でもう一度同じスマートフォン２００と接続されたときに、フラグを画像転送の未完を示す値に設定することで、未送信画像を送信することが可能となる。
【００８８】
また、図１２に、未送信画像リストの別の構成例を示す。図１２に示す未送信画像リスト１９０ｂは、図４に示す構成に加えて、さらに「個人認証情報」と「お気に入りフラグ」とを管理する。
【００８９】
「個人認証情報」は、未送信画像の認証結果を示す情報である。すなわち、デジタルカメラ１００において予め、特定のユーザの顔（画像）と名前を登録しておく。デジタルカメラ１００は、撮影した画像を解析し、事前に登録されている顔が含まれているか否かを判定する。事前に登録されている顔が検出された場合、その顔に対応する人物を示す情報（氏名、識別情報等）を「個人認証情報」として未送信画像リスト１９０ｂに登録する。
【００９０】
「お気に入りフラグ」は、ユーザにより“お気に入り”として選択された画像であることを示すフラグである。デジタルカメラ１００は、画像撮影直後、所定時間の間ユーザが撮影画像を確認できるように液晶モニタ１３０にレビュー画像を表示する。例えば、このレビュー画像に対してユーザが操作部１５０を介して所定の操作を行うことで、その画像が“お気に入り”であることを設定（マーク）することができる。ユーザにより“お気に入り”として設定された画像に対して「お気に入りフラグ」がオン（＝１）に設定される。
【００９１】
コントローラ１３５は、未送信画像リスト１９０ｂに登録されている画像を外部機器へ自動転送する場合に、未送信画像リスト１９０ｂに登録されている画像のうち所定条件を満たす画像のみを転送してもよい。例えば、未送信画像リスト１９０ｂにおける「個人認証情報」を参照し、予めデジタルカメラ１００に登録した所定の人物の画像を含む画像のみを外部機器に転送するようにしてもよい。または、「お気に入りフラグ」がオンに設定された画像のみを外部機器に転送するようにしてもよい。
【００９２】
図４、図１２に示す未送信画像リスト１９０、１９０ｂは、１つの「送信相手」（外部機器）に転送すべき未送信画像を管理していた。未送信画像リストにおいて、図１３に示すように、複数の「送信相手」に転送すべき未送信画像を管理してもよい。図１３に示す未送信画像リスト１９０ｃでは、デバイス名がそれぞれ“smartphone A”と“smartphone B”の２つの送信相手（外部機器）に対する未送信画像が同時に管理されている。デジタルカメラ１００に“smartphone A”の外部機器が自動接続された場合、コントローラ１３５は、未送信画像リスト１９０ｃを参照し、以前に“smartphone A”が接続されていたときに撮影された未送信画像を特定して、外部機器に送信する。一方、デジタルカメラ１００に“smartphone B”の外部機器が自動接続された場合、コントローラ１３５は、未送信画像リスト１９０ｃを参照し、以前に“smartphone B”が接続されていたときに撮影された未送信画像を特定して、外部機器に送信する。
【００９３】
さらに未送信画像リスト１９０、１９０ｂ、１９０ｃにおいて、画像の撮影モード（ポートレートモード、夜景モード等）のフィールドを含めても良い。これにより、デジタルカメラ１００にて撮影した画像のうち特定の撮影モードで撮影された画像のみを外部機器に転送するようにしてもよい。または、自動転送において、特定のオブジェクト（花、犬、猫等）が含まれる画像のみを外部機器へ送信するようにしてもよい。このためには、画像認識により、撮影された画像中から特定のオブジェクト（花、犬、猫等）を検出し、その検出結果を未送信画像リスト１９０、１９０ｂ、１９０ｃに記録しておけばよい。
【００９４】
すなわち、デジタルカメラ１００にて撮影した画像のうち所定の条件を満たす画像のみを外部機器へ転送するようにしてもよい。このためには、未送信画像リスト１９０において、画像が所定の条件を満たすか否かを判定できるようにするための情報（撮影条件、画像解析結果、等）を管理するようすればよい。
【００９５】
また、デジタルカメラ１００は、自動画像転送において、転送時に画像の撮影時から所定期間経過した画像は転送しないようにしてもよい。換言すれば、転送時において、画像の撮影時からの経過期間が所定期間内のものだけを外部機器に転送するようにしてもよい。これにより、ユーザは比較的新しい画像のみを外部機器に取り込むことが可能になる。
【００９６】
上記の実施の形態では、画像データをＷｉ−Ｆｉ接続（Ｗｉ−Ｆｉモジュール１５５、２３５）を介してデジタルカメラ１００からスマートフォン２００へ送信したが、画像データをＢｌｕｅｔｏｏｔｈ接続（Ｂｌｕｅｔｏｏｔｈモジュール１６０、２４０）を介して送信してもよい。Ｂｌｕｅｔｏｏｔｈ接続の場合、Ｗｉ−Ｆｉ接続よりもデータ転送に時間を要するが、画像サイズが小さい場合や転送時間が問題にならない場合は、Ｂｌｕｅｔｏｏｔｈ接続を使用することもできる。
【００９７】
また、上記の実施の形態では、デジタルカメラ１００とスマートフォン２００とは、Ｂｌｕｅｔｏｏｔｈ通信とＷｉ−Ｆｉ通信の２種類の通信を介して接続されたが、Ｗｉ−Ｆｉ通信のみを介して接続されてもよい。この場合、スマートフォン２００は、Ｗｉ−Ｆｉ通信のアクセスポイントとしてデジタルカメラ１００を検出したときにデジタルカメラ１００に自動接続するようにすればよい。デジタルカメラ１００は、Ｗｉ−Ｆｉ通信を介してスマートフォン２００（外部機器）を識別するための情報（例えば、デバイスＩＤ）を取得すればよい。これにより、デジタルカメラ１００は接続されている機器を認識することができる。
【００９８】
上記実施の形態においては、デジタルカメラ１００に接続する外部機器としてスマートフォンを例示したが、外部機器はこれに限定されない。外部機器は、デジタルカメラ１００との間で通信する機能を備えた電子機器（例えば、パーソナルコンピュータ、タブレット端末、携帯電話機）であればよい。
【００９９】
また、撮像装置の例としてデジタルカメラを説明したが、これに限定されない。撮像装置として、画像撮影機能と通信機能を有する電子機器（例えば、ビデオカメラ、スマートフォン、タブレット端末等）であればよい。
【０１００】
デジタルカメラ１００のコントローラ１３５及びスマートフォン２００のコントローラ２２５は、ＣＰＵ、ＧＰＵ、ＭＰＵ、ＦＰＧＡ、ＡＳＩＣ等で構成することができる。
【０１０１】
以上のように、本開示における技術の例示として、実施の形態を説明した。そのために、添付図面および詳細な説明を提供した。
【０１０２】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１０３】
また、上述の実施の形態は、本開示における技術を例示するためのものであるから、特許請求の範囲またはその均等の範囲において種々の変更、置き換え、付加、省略などを行うことができる。
【産業上の利用可能性】
【０１０４】
本開示は、撮影した画像を他の外部機器へ自動で転送する機能を有する撮像装置に適用できる。
【符号の説明】
【０１０５】
１００  デジタルカメラ
１１０  光学系
１１５  ＣＭＯＳイメージセンサ
１３５  コントローラ
１５５  Ｗｉ−Ｆｉモジュール
１６０  Ｂｌｕｅｔｏｏｔｈモジュール
１９０、１９０ｂ、１９０ｃ  未送信画像リスト
２００  スマートフォン
２２５  コントローラ
２３５  Ｗｉ−Ｆｉモジュール
２４０  Ｂｌｕｅｔｏｏｔｈモジュール
【図１】
2019016891.tif 000003
【図２】
2019016891.tif 000004
【図３】
2019016891.tif 000005
【図４】
2019016891.tif 000006
【図５】
2019016891.tif 000007
【図６】
2019016891.tif 000008
【図７】
2019016891.tif 000009
【図８】
2019016891.tif 000010
【図９】
2019016891.tif 000011
【図１０】
2019016891.tif 000012
【図１１】
2019016891.tif 000013
【図１２】
2019016891.tif 000014
【図１３】
2019016891.tif 000015